(57)【要約】【課題】表示面への近接および接触の検出漏れを効果的に防止しつつ、操作上の無駄のない、良好な外観の電子機器を実現する。【解決手段】電子機器（１０）について、表示装置（１）の表示面内には電極が複数配置されており、制御装置は、第１閾値（Ａ）以上で、かつ第２閾値（Ｂ）以下となる静電容量値が継続的に検出された場合に、第１閾値（Ａ）を第３閾値（Ａ´）に変更する。【選択図】図１
2019105918.tif 000002
【特許請求の範囲】
【請求項１】
少なくとも１つの表示装置と、少なくとも１つの制御装置とを備える電子機器であって、
前記表示装置の表示面内には、前記表示面への操作体の近接または接触に応じて静電容量が変化する電極が複数配置されており、
前記制御装置は、複数の前記電極のいずれかにおける前記静電容量の変化を表す静電容量値について、前記近接または前記接触があったか否かを判定するための第１閾値以上で、かつ前記表示面の検出感度のキャリブレーションを行うか否かを判定するための第２閾値以下となる前記静電容量値が継続的に検出された場合に、前記第１閾値を前記第１閾値よりも小さい第３閾値に変更する第１閾値変更処理を実行することを特徴とする電子機器。
【請求項２】
前記制御装置は、前記第１閾値以上で、かつ前記第２閾値以下となる前記静電容量値が第１所定回数以上検出された場合に、前記第１閾値変更処理を実行することを特徴とする請求項１に記載の電子機器。
【請求項３】
前記制御装置は、前記第１閾値を前記第３閾値に変更した後、前記第２閾値よりも大きくなる前記静電容量値が第２所定回数以上検出された場合に、前記第３閾値を前記第１閾値に戻す第２閾値変更処理を実行することを特徴とする請求項１または２に記載の電子機器。
【請求項４】
請求項１から３のいずれか１項に記載の電子機器における制御装置としてコンピュータを機能させるためのプログラム。
【請求項５】
少なくとも１つの表示装置を備える電子機器を制御する制御装置であって、
前記表示装置の表示面内には、前記表示面への操作体の近接または接触に応じて静電容量が変化する電極が複数配置されており、
複数の前記電極のいずれかにおける前記静電容量の変化を表す静電容量値について、前記近接または前記接触があったか否かを判定するための第１閾値以上で、かつ前記表示面の検出感度のキャリブレーションを行うか否かを判定するための第２閾値以下となる前記静電容量値が継続的に検出された場合に、前記第１閾値を前記第１閾値よりも小さい第３閾値に変更する閾値変更部を備えることを特徴とする制御装置。
【請求項６】
少なくとも１つの表示装置と、少なくとも１つの制御装置とを備える電子機器を制御する制御方法であって、
前記表示装置の表示面内には、前記表示面への操作体の近接または接触に応じて静電容量が変化する電極が複数配置されており、
複数の前記電極のいずれかにおける前記静電容量の変化を表す静電容量値について、前記近接または前記接触があったか否かを判定するための第１閾値以上で、かつ前記表示面の検出感度のキャリブレーションを行うか否かを判定するための第２閾値以下となる前記静電容量値が継続的に検出された場合に、前記第１閾値を前記第１閾値よりも小さい第３閾値に変更する閾値変更ステップを含むことを特徴とする制御方法。
【発明の詳細な説明】
【技術分野】
【０００１】
本発明は、電子機器、プログラム、制御装置および制御方法に関する。
【背景技術】
【０００２】
近年、操作態様等に応じてタッチパネルの検出感度を適切に設定することにより検出漏れを防止する技術の研究開発が盛んに行われている。例えば、特許文献１には、保護シートに覆われるタッチパネル部分、および保護シートに覆われず露出するタッチパネル部分を有するタッチパネルを備えた携帯端末装置が開示されている。また、この携帯端末装置には、保護シートに覆われるタッチパネル部分と、保護シートに覆われず露出するタッチパネル部分とがそれぞれタッチ操作された際の検出信号のレベル差に基づいて、タッチパネルの検出感度を設定する制御手段が備えられている。
【先行技術文献】
【特許文献】
【０００３】
【特許文献１】特開２０１３−１７５１０９号公報（２０１３年９月５日公開）
【発明の概要】
【発明が解決しようとする課題】
【０００４】
しかしながら、特許文献１に開示された携帯端末装置は、タッチパネルの検出感度を適切に設定するために、保護シートに覆われるタッチパネル部分と保護シートに覆われず露出するタッチパネル部分とを持つ必要がある。したがって、上記の携帯端末装置に操作上無駄な領域ができてしまい、その外観も損ねてしまうという問題点があった。
【０００５】
本発明の一態様は、上記の問題点に鑑みてなされたものであり、その目的は、タッチパネルの検出漏れを効果的に防止しつつ、操作上の無駄のない、良好な外観の携帯端末装置を実現することにある。
【課題を解決するための手段】
【０００６】
上記の課題を解決するために、本発明の一態様に係る電子機器は、少なくとも１つの表示装置と、少なくとも１つの制御装置とを備える電子機器であって、前記表示装置の表示面内には、前記表示面への操作体の近接または接触に応じて静電容量が変化する電極が複数配置されており、前記制御装置は、複数の前記電極のいずれかにおける前記静電容量の変化を表す静電容量値について、前記近接または前記接触があったか否かを判定するための第１閾値以上で、かつ前記表示面の検出感度のキャリブレーションを行うか否かを判定するための第２閾値以下となる前記静電容量値が継続的に検出された場合に、前記第１閾値を前記第１閾値よりも小さい第３閾値に変更する第１閾値変更処理を実行する。
【０００７】
本発明の一態様に係る制御装置は、少なくとも１つの表示装置を備える電子機器を制御する制御装置であって、前記表示装置の表示面内には、前記表示面への操作体の近接または接触に応じて静電容量が変化する電極が複数配置されており、複数の前記電極のいずれかにおける前記静電容量の変化を表す静電容量値について、前記近接または前記接触があったか否かを判定するための第１閾値以上で、かつ前記表示面における前記近接および前記接触の検出感度のキャリブレーションを行うか否かを判定するための第２閾値以下となる前記静電容量値が継続的に検出された場合に、前記第１閾値を前記第１閾値よりも小さい第３閾値に変更する閾値変更部を備える。
【０００８】
本発明の一態様に係る制御方法は、少なくとも１つの表示装置と、少なくとも１つの制御装置とを備える電子機器を制御する制御方法であって、前記表示装置の表示面内には、前記表示面への操作体の近接または接触に応じて静電容量が変化する電極が複数配置されており、複数の前記電極のいずれかにおける前記静電容量の変化を表す静電容量値について、前記近接または前記接触があったか否かを判定するための第１閾値以上で、かつ前記表示面における前記近接および前記接触の検出感度のキャリブレーションを行うか否かを判定するための第２閾値以下となる前記静電容量値が継続的に検出された場合に、前記第１閾値を前記第１閾値よりも小さい第３閾値に変更する閾値変更ステップを含む。
【発明の効果】
【０００９】
本発明の一態様によれば、表示面への近接および接触の検出漏れを効果的に防止しつつ、操作上の無駄のない、良好な外観の電子機器を実現することができる。
【図面の簡単な説明】
【００１０】
【図１】本発明の実施形態１に係るスマートフォンの機能的構成を示すブロック図である。
【図２】第１閾値から第３閾値への変更方法を示す図であり、（ａ）は変更前における各閾値と静電容量値との関係を示し、（ｂ）は変更後における各閾値と静電容量値との関係を示す。
【図３】第１閾値から第３閾値への変更方法を示すフローチャートである。
【図４】本発明の実施形態２におけるスマートフォンにおける、第３閾値から第１閾値への変更方法を示す図である。
【図５】第３閾値から第１閾値への変更方法を示すフローチャートである。
【発明を実施するための形態】
【００１１】
〔実施形態１〕
説明の便宜上、特定の項目について説明した構成と同一の機能を有する構成については、同一の符号を付記し、その説明を省略する。この点については、実施形態２においても同様である。また、本実施形態以下の各実施形態において、本発明の一態様に係る電子機器が備える表示装置、制御装置等の各装置については、単数であってもよいし複数であってもよい。
【００１２】
＜スマートフォンの構成＞
スマートフォン１０（電子機器）は、パーソナルコンピュータ・ＰＤＡ（Personal Digital Assistant：携帯情報端末）等の機能を併せ持った多機能の携帯電話機である（後述のスマートフォン２０についても同様）。なお、本発明の適用対象となる電子機器としては、スマートフォンの他、携帯電話機やウェアラブル端末、小型ゲーム機などの携帯端末、あるいはタブレット端末、家電製品等を例示することができる。図１に示すように、スマートフォン１０は、タッチパネル（表示装置）１、記憶装置２、アプリケーション処理装置３および制御装置４を備えている。
【００１３】
タッチパネル１は、例えば、相互容量方式の場合、互いに交差するＫ本（Ｋは複数：任意）の制御ラインおよびＭ本（Ｍは複数：任意）の駆動センスラインを備えている。また、タッチパネル１は、Ｋ本の制御ラインとＭ本の駆動センスラインとの各交差点に対応してマトリックス状に配置された、（Ｋ×Ｍ）個の電極を備えている（タッチパネル１の構造につき、不図示）。
【００１４】
タッチパネル１は、後述の静電容量値検出部４ａによって検出された電極の静電容量の変化から、当該タッチパネル１と重ね合わされた表示パネル（不図示）の表示面に操作体がタッチ（接触）またはホバー（近接）したことを検出する。ここで、「静電容量の変化」とは、各電極と操作体との間に生じる容量変化を指す。また、操作体としては、ユーザの指、タッチペン等を例示することができる。
【００１５】
なお、（Ｋ×Ｍ）個の電極について、この個数および上述の配置態様に限定されない。言い換えれば、タッチパネル１の表示面内に静電容量の変化を検知するための電極が複数配置されていればよい。また、タッチパネル１は必ずしも相互容量方式である必要はなく、自己容量方式であってもよい。
【００１６】
記憶装置２は、例えば、ＲＯＭ（Read Only Memory）またはＲＡＭ（Random Access Memory）などで構成され、スマートフォン１０が備える各装置の動作に必要なデータを記憶する。記憶装置２は、例えば制御装置４に内蔵されてもよいし、スマートフォン１０の外部に具備されてもよい。
【００１７】
アプリケーション処理装置３は、後述の検出情報出力部４ｃから出力された検出情報に応じて、スマートフォン１０に所定のアプリケーションに従った動作・処理を実行させる。
【００１８】
制御装置４は、例えばＣＰＵであり、記憶装置２に記憶されているプログラムを実行することによってスマートフォン１０が備える各装置の動作を統括的に制御する。また、制御装置４は、図１に示すように静電容量値検出部４ａ、閾値変更部４ｂおよび検出情報出力部４ｃを備えている。
【００１９】
静電容量値検出部４ａは、（Ｋ×Ｍ）個の電極のいずれかにおいて、操作体が表示面にタッチまたはホバーしたことによる静電容量の変化が生じた場合、当該静電容量の変化を表す静電容量値Ｓを検出して検出結果を閾値変更部４ｂに出力する。
【００２０】
ここで、本明細書中の「静電容量値Ｓ」は、表示面に対して操作体がタッチまたはホバーしていない状態の静電容量値を基準値とした場合、当該基準値から変化した量を意味する。なお、上記変化した量の算出方法は、タッチパネルの方式に依存する。
【００２１】
閾値変更部４ｂは、図２の（ａ）に示すように、静電容量値検出部４ａから出力された検出結果、すなわち静電容量値Ｓが、第１閾値Ａ以上かつ第２閾値Ｂ以下であるか否かを判定する。また、閾値変更部４ｂは、第１閾値Ａ以上かつ第２閾値Ｂ以下となる静電容量値（以下、「第１判定対象静電容量値」）の個数をカウントすることにより、静電容量値検出部４ａが第１判定対象静電容量値を第１所定回数Ｐ以上検出したか否かを判定する。なお、図２の（ａ）における「Ｉ．感度変更判断に用いる静電容量値」が、第１判定対象静電容量値に該当する。
【００２２】
さらに、閾値変更部４ｂは、静電容量値検出部４ａによって第１判定対象静電容量値が第１所定回数Ｐ以上検出された場合、図２の（ｂ）に示すように第１閾値Ａを当該第１閾値Ａよりも小さい第３閾値Ａ´に変更する。制御装置４は、閾値変更部４ｂによるこれら一連の処理を第１閾値変更処理として実行する。
【００２３】
ここで、第１閾値Ａおよび第３閾値Ａ´は、表示面へのタッチまたはホバーがあったか否かを判定するための基準値である。第２閾値Ｂは、表示面におけるタッチおよびホバーの検出感度のキャリブレーションを行うか否かを判定するための基準値である。
【００２４】
また、第１閾値Ａは、タッチパネル１の性能等に応じて決まる固有の値である。さらに、第２閾値は、タッチパネル１の使用態様（例えば、保護フィルムを表示面に貼る／貼らない）、保護フィルムの厚さ、および表示面に加わる圧力等を予め想定することによって適宜設定変更できる値である。
【００２５】
第１所定回数Ｐおよび第３閾値Ａ´は、タッチパネル１の性能や想定されるタッチパネル１の使用態様等を総合考慮することによって決められた固有の値である。後述の第２所定回数Ｑについても同様である。
【００２６】
このように、タッチパネル１の性能や想定されるタッチパネル１の使用態様等に応じて第２閾値Ｂおよび第３閾値Ａ´を適宜設定することにより、表示面へのタッチおよびホバーの検出漏れを効果的に防止することができる。第１閾値Ａ・第２閾値Ｂ・第３閾値Ａ´のそれぞれは、閾値変更部４ｂ内のメモリに記憶されていてもよいし、記憶装置２に記憶されていてもよい。あるいは、外部の記憶装置（不図示）に記憶されていてもよい。
【００２７】
なお、上述した第１閾値Ａから第３閾値Ａ´への変更の判定基準はあくまで一例であり、第１判定対象静電容量値が第１所定回数Ｐ以上検出された場合に変更する必要は必ずしもない。
【００２８】
例えば、制御装置４（具体的には閾値変更部４ｂ）は、所定期間内に第１閾値Ａ以上かつ第２閾値Ｂ以下となる静電容量値が１個以上検出された場合に、第１閾値Ａを第３閾値Ａ´に変更してもよい。言い換えれば、第１閾値変更処理は、第１閾値Ａ以上かつ第２閾値Ｂ以下となる静電容量値が継続的に検出された場合に、第１閾値Ａを第３閾値Ａ´に変更するものであればよい。
【００２９】
＜第１閾値から第３閾値への変更方法＞
閾値変更部４ｂによる第１閾値Ａから第３閾値Ａ´への変更方法（電子機器の制御方法）としては、図３に示す方法を例示することができる（スマートフォン２０についても同様）。
【００３０】
図３に示すように、まず、タッチパネル１の表示面において操作体によるタッチまたはホバーがあった場合（ステップ１０１（以下、「Ｓ１０１」と略記））、静電容量値検出部４ａが当該タッチまたはホバーに起因する静電容量値を検出する（Ｓ１０２）。静電容量値検出部４ａは、検出結果（検出された静電容量値）を閾値変更部４ｂに出力する。
【００３１】
次に、閾値変更部４ｂは、静電容量値検出部４ａから出力された検出結果に基づいて、検出された静電容量値が第１閾値Ａ以上かつ第２閾値Ｂ以下であるか否かを判定する（Ｓ１０３：第１閾値比較ステップ（閾値変更ステップ））。
【００３２】
Ｓ１０３でＹＥＳ（以下、「Ｙ」と略記）と判定した場合、閾値変更部４ｂは、１ループ前までの第１判定対象静電容量値の連続検出回数ｉに１を加え、当該１を加えた連続検出回数ｉが第１所定回数Ｐ以上か否かを判定する（Ｓ１０４：第１回数比較ステップ（閾値変更ステップ））。一方、Ｓ１０３でＮＯ（以下、「Ｎ」と略記）と判定した場合、再びＳ１０１以下の各処理を実行する。
【００３３】
Ｓ１０４でＹと判定した場合、閾値変更部４ｂは、第１閾値Ａを第３閾値Ａ´に変更する（Ｓ１０５：第１閾値変更ステップ（閾値変更ステップ））。制御装置４は、第３閾値Ａ´を基準値としてタッチまたはホバーの有無を判定し、検出する。一方、Ｓ１０４でＮと判定した場合、再びＳ１０１以下の各処理を実行する。
【００３４】
〔実施形態２〕
＜制御装置による第２閾値変更処理＞
本実施形態に係るスマートフォン２０は、制御装置４が、所定条件を充足した場合に一旦変更した第３閾値Ａ´を第１閾値Ａに戻す第２閾値変更処理を実行する点で、実施形態１に係るスマートフォン１０と異なる。
【００３５】
具体的には、閾値変更部４ｂは、図４に示すように、第１閾値Ａを第３閾値Ａ´に変更した後、静電容量値検出部４ａから出力された検出結果（静電容量値Ｓ）が第２閾値Ｂよりも大きいか否かを判定する。また、閾値変更部４ｂは、第２閾値Ｂよりも大きくなる静電容量値（以下、「第２判定対象静電容量値」）の個数をカウントすることにより、静電容量値検出部４ａが第２判定対象静電容量値を第２所定回数Ｑ以上検出したか否かを判定する。なお、図４における「ＩＩＩ．感度を元に戻す判断に用いる静電容量値」が、第２判定対象静電容量値に該当する。
【００３６】
さらに、閾値変更部４ｂは、静電容量値検出部４ａによって第２判定対象静電容量値が第２所定回数Ｑ以上検出された場合、図４に示すように第３閾値Ａ´を第１閾値Ａに戻す。制御装置４は、閾値変更部４ｂによるこれら一連の処理を第２閾値変更処理として実行する。
【００３７】
なお、スマートフォン２０の制御装置４による第１閾値変更処理については、実施形態１に係る制御装置４と同様に、第１判定対象静電容量値が第１所定回数Ｐ以上検出された場合に第１閾値Ａを第３閾値Ａ´に変更してもよい。あるいは、所定期間内に第１閾値Ａ以上かつ第２閾値Ｂ以下となる静電容量値が１個以上検出された場合に、第１閾値Ａを第３閾値Ａ´に変更してもよい。
【００３８】
＜第３閾値から第１閾値への変更方法＞
閾値変更部４ｂによる第３閾値Ａ´から第１閾値Ａへの変更方法としては、図５に示す方法を例示することができる。なお、図５のフローチャートは、制御装置４が第１閾値変更処理を実行した後の処理を示すものである。また、図５のフローチャートにおけるＳ２０１およびＳ２０２の各処理は、図３のフローチャートにおけるＳ１０１およびＳ１０２の各処理と同様であることから、その説明を省略する。
【００３９】
図５に示すように、閾値変更部４ｂは、静電容量値検出部４ａから出力された検出結果に基づいて、検出された静電容量値が第２閾値Ｂよりも大きいか否かを判定する（Ｓ２０３：第２閾値比較ステップ）。
【００４０】
Ｓ２０３でＹと判定した場合、閾値変更部４ｂは、１ループ前までの第２判定対象静電容量値の連続検出回数ｋに１を加え、当該１を加えた連続検出回数ｋが第２所定回数Ｑ以上か否かを判定する（Ｓ２０４：第２回数比較ステップ）。一方、Ｓ２０３でＮと判定した場合、再びＳ２０１以下の各処理を実行する。
【００４１】
Ｓ２０４でＹと判定した場合、閾値変更部４ｂは、第３閾値Ａ´を第１閾値Ａに戻す（Ｓ２０５：第２閾値変更ステップ）。制御装置４は、再び第１閾値Ａを基準値としてタッチまたはホバーの有無を判定し、検出する。一方、Ｓ２０４でＮと判定した場合、再びＳ２０１以下の各処理を実行する。
【００４２】
〔ソフトウェアによる実現例〕
制御装置４の制御ブロック（特に閾値変更部４ｂ）は、集積回路（ＩＣチップ）等に形成された論理回路（ハードウェア）によって実現してもよいし、ソフトウェアによって実現してもよい。
【００４３】
後者の場合、制御装置４は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００４４】
〔まとめ〕
本発明の態様１に係る電子機器（スマートフォン１０、２０）は、少なくとも１つの表示装置（タッチパネル１）と、少なくとも１つの制御装置（４）とを備える電子機器であって、前記表示装置の表示面内には、前記表示面への操作体の近接または接触に応じて静電容量が変化する電極が複数配置されており、前記制御装置は、複数の前記電極のいずれかにおける前記静電容量の変化を表す静電容量値（Ｓ）について、前記近接または前記接触があったか否かを判定するための第１閾値（Ａ）以上で、かつ前記表示面の検出感度のキャリブレーションを行うか否かを判定するための第２閾値（Ｂ）以下となる前記静電容量値が継続的に検出された場合に、前記第１閾値を前記第１閾値よりも小さい第３閾値（Ａ´）に変更する第１閾値変更処理を実行する。
【００４５】
上記の構成によれば、例えば保護フィルムの厚みや、操作者の指の大きさ・指圧の強さに応じて第２閾値を適宜設定することにより、表示面への近接および接触の検出漏れを効果的に防止することができる。また、保護フィルムに覆われる表示面の領域と、保護フィルムに覆われずに露出する表示面の領域とを意図的に設ける必要がないことから、操作上の無駄のない、良好な外観の電子機器を実現することができる。
【００４６】
本発明の態様２に係る電子機器は、上記態様１において、前記制御装置は、前記第１閾値以上で、かつ前記第２閾値以下となる前記静電容量値が第１所定回数（Ｐ）以上検出された場合に、前記第１閾値変更処理を実行してもよい。
【００４７】
上記の構成によれば、第１閾値以上かつ第２閾値以下の静電容量値が第１所定回数以上検出された場合、言い換えれば近接および接触の検出漏れが発生する可能性が高くなった場合に、近接または接触の有無を判定するための閾値を第３閾値に変更することができる。したがって、表示面への近接および接触の検出漏れを効果的に防止することができる。
【００４８】
本発明の態様３に係る電子機器（スマートフォン２０）は、上記態様１または２において、前記制御装置は、前記第１閾値を前記第３閾値に変更した後、前記第２閾値よりも大きくなる前記静電容量値が第２所定回数（Ｑ）以上検出された場合に、前記第３閾値を前記第１閾値に戻す第２閾値変更処理を実行してもよい。
【００４９】
上記の構成によれば、第２閾値よりも大きくなる静電容量値が第２所定回数以上検出された場合、言い換えれば近接および接触の検出漏れが発生する可能性が低くなった場合に、近接または接触の有無を判定するための閾値を通常の第１閾値に戻すことができる。したがって、無駄な第３閾値の設定が継続することによる、表示面への近接および接触の誤検知を効果的に防止することができる。
【００５０】
本発明の態様４に係る制御装置（４）は、少なくとも１つの表示装置（タッチパネル１）を備える電子機器（スマートフォン１０、２０）を制御する制御装置であって、前記表示装置の表示面内には、前記表示面への操作体の近接または接触に応じて静電容量が変化する電極が複数配置されており、複数の前記電極のいずれかにおける前記静電容量の変化を表す静電容量値（Ｓ）について、前記近接または前記接触があったか否かを判定するための第１閾値（Ａ）以上で、かつ前記表示面の検出感度のキャリブレーションを行うか否かを判定するための第２閾値（Ｂ）以下となる前記静電容量値が継続的に検出された場合に、前記第１閾値を前記第１閾値よりも小さい第３閾値（Ｃ）に変更する閾値変更部（４ｂ）を備える。
【００５１】
上記の構成によれば、表示面への近接および接触の検出漏れを効果的に防止しつつ、電子機器が操作上の無駄のない、良好な外観となる制御装置を実現することができる。
【００５２】
本発明の態様５に係る制御方法は、少なくとも１つの表示装置（タッチパネル１）と、少なくとも１つの制御装置（４）とを備える電子機器（スマートフォン１０、２０）を制御する制御方法であって、前記表示装置の表示面内には、前記表示面への操作体の近接または接触に応じて静電容量が変化する電極が複数配置されており、複数の前記電極のいずれかにおける前記静電容量の変化を表す静電容量値（Ｓ）について、前記近接または前記接触があったか否かを判定するための第１閾値（Ａ）以上で、かつ前記表示面の検出感度のキャリブレーションを行うか否かを判定するための第２閾値（Ｂ）以下となる前記静電容量値が継続的に検出された場合に、前記第１閾値を前記第１閾値よりも小さい第３閾値（Ｃ）に変更する閾値変更ステップ（Ｓ１０３、Ｓ１０４、Ｓ１０５）を含む。
【００５３】
上記の構成によれば、表示面への近接および接触の検出漏れを効果的に防止しつつ、電子機器が操作上の無駄のない、良好な外観となる制御方法を実現することができる。
【００５４】
本発明の各態様に係る制御装置は、コンピュータによって実現してもよく、この場合には、コンピュータを上記制御装置が備える各部（ソフトウェア要素）として動作させることにより上記制御装置をコンピュータにて実現させる制御装置のプログラム、およびそれを記録したコンピュータ読み取り可能な記録媒体も、本発明の範疇に入る。
【００５５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５６】
１          タッチパネル（表示装置）
４          制御装置
４ｂ        閾値変更部
１０、２０  スマートフォン（電子機器）
Ａ          第１閾値
Ｂ          第２閾値
Ａ´        第３閾値
Ｐ          第１所定回数
Ｑ          第２所定回数
Ｓ          静電容量値
【図１】
2019105918.tif 000003
【図２】
2019105918.tif 000004
【図３】
2019105918.tif 000005
【図４】
2019105918.tif 000006
【図５】
2019105918.tif 000007